(57)【要約】  デジタル信号を送信するための受動光ネットワークが、ネットワークの光ファイバ・ケーブル上で信号が送信されるときにこれらに導入される歪みの除去のためのサブオクターブ・フィルタを組み入れる。言い方を変えると、デジタル信号を搬送する光ビームが光ファイバ・ケーブルを通過するときに結果として生じる二次歪みがサブオクターブ・フィルタによって取り除かれる。さらに、現存のネットワークを備えた同じ光ファイバ・ケーブル上での別の受動光ネットワークの使用が提供される。上流方向と下流方向の送信周波数の両立性をサブオクターブ・フィルタで保証するための考慮対象が開示される。
2014513874.tif 000002
【特許請求の範囲】
【請求項１】
受動光ネットワーク（ＰＯＮ）上でデジタル信号のサブオクターブ送信を可能にするための方法であって、
複数の分離した搬送波周波数（ｆ）を有するサブオクターブ帯域幅を設立するステップと、
選択された搬送波周波数上にデジタル信号を変調するステップと、
前記変調後の搬送波周波数を光ビームに変換するステップであって、前記光ビームと前記デジタル信号が波長（λ）を有するステップと、
光ファイバ・ケーブルの第１の末端から第２の末端へと前記光ファイバ・ケーブルを通る送信が可能な前記光ファイバ・ケーブルの前記第１の末端に前記光ビームを導入するステップと、
前記光ファイバ・ケーブルの前記第２の末端から前記光ビームを回収するステップと、
前記光ビームをサブセットへと分割するステップと、
前記光ビームの各サブセットを宛先の光受信機へ向かわせるステップと、
前記光ビームを前記変調後の搬送波周波数に再変換するステップと、
前記サブオクターブの外側の二次歪みを前記変調後の搬送波周波数から濾波するステップと、
選択された変調後の搬送波周波数に同調させるステップと、
前記同調後の搬送波周波数をそのそれぞれのデジタル信号の受信のために復調するステップとを含む方法。
【請求項２】
複数のデジタル信号がそれぞれの搬送波周波数上に各々変調され、その後、複数の光信号を作り出すように変換され、前記複数の光信号を組み合わせて光ビームを作り出すステップをさらに含む、請求項１に記載の方法。
【請求項３】
前記設立するステップが、
順方向の送信光ビームによる使用のために、２ｆＬ１≧ｆＨ１＞ｆＬ１の関係にある低搬送波周波数（ｆＬ１）と高搬送波周波数（ｆＨ１）によって境界を決められる第１のオクターブを識別するステップと、
返信の受信光ビームによる使用のために、２ｆＬ２≧ｆＨ２＞ｆＬ２の関係にある低搬送波周波数（ｆＬ２）と高搬送波周波数（ｆＨ２）によって境界を決められる第２のオクターブを識別するステップとを含む、請求項２に記載の方法。
【請求項４】
前記順方向の送信光ビームと前記返信の受信光ビームが７５０ＭＨｚと４０ＧＨｚとの間の範囲内の搬送波周波数を含む、請求項３に記載の方法。
【請求項５】
別のＰＯＮ内の順方向の送信光ビームによる使用のためにｆＬ１より下の帯域幅を追加するステップと、
それ以外のＰＯＮ内の返信の受信光ビームによる使用のためにｆＬ２より下の帯域幅を追加するステップとをさらに含む、請求項３に記載の方法。
【請求項６】
前記濾波するステップがバンドパス・フィルタを使用して達成される、請求項１に記載の方法。
【請求項７】
前記同調させるステップが少なくとも１つの同調器を使用して達成される、請求項１に記載の方法。
【請求項８】
前記同調させるステップが各々の変調後の搬送波周波数を宛先指定された構内へ送信する、請求項７に記載の方法。
【請求項９】
前記変調するステップが周波数変調技術を使用して達成される、請求項１に記載の方法。
【請求項１０】
前記変調するステップが振幅変調技術を使用して達成される、請求項１に記載の方法。
【請求項１１】
前記変調するステップが位相変調技術を使用して達成される、請求項１に記載の方法。
【請求項１２】
デジタル信号の送信のためにサブオクターブ技術を使用する受動光ネットワーク（ＰＯＮ）であって、
複数のデジタル信号をそれぞれのＲＦ搬送波周波数（ｆ）上に変調するため、及び各々の変調後の搬送波周波数を光信号へと変換し、他の光信号と組み合わせて、各々の光信号が波長（λ）を有する光ビームを作り出するための送信モデムと、
前記光ビームを送信するための送信機と、
前記送信機から前記光ビームを受信するための第１の末端を有し、前記光ビームを通して第２の末端へと移送するための光ファイバと、
前記光ビームをサブセットに分割するために前記光ファイバの前記第２の末端に接続されたスプリッタと、
各々が前記光ビームのそれぞれのサブセットを前記変調後の搬送波周波数へと再変換する、複数の光受信機と、
前記サブオクターブの外側の二次歪みを前記変調後の搬送波周波数から濾波するためのバンドパス・フィルタと、
選択された搬送波周波数に同調させるため、及び前記選択された搬送波周波数を宛先指定された構内へと向かわせるための同調器と、
前記同調後の搬送波周波数をそのそれぞれのデジタル信号の受信のために復調するための受信モデムとを含むネットワーク。
【請求項１３】
前記送信モデムが、２ｆＬ１≧ｆＨ１＞ｆＬ１の関係にある低搬送波周波数（ｆＬ１）と高搬送波周波数（ｆＨ１）によって境界を決められる第１のオクターブ内の順方向の送信光ビームを送信し、各々の光受信機が、２ｆＬ２≧ｆＨ２＞ｆＬ２の関係にある低搬送波周波数（ｆＬ２）と高搬送波周波数（ｆＨ２）によって境界を決められる第２のオクターブ内の返信の受信光ビームを受信する、請求項１２に記載のネットワーク。
【請求項１４】
前記順方向の送信光ビームと前記返信の受信光ビームが７５０ＭＨｚと４０ＧＨｚとの間の範囲内の搬送波周波数を含む、請求項１３に記載のネットワーク。
【請求項１５】
別のＰＯＮ内の順方向の送信光ビームによる使用のためにｆＬ１より下の帯域幅を追加するステップと、
それ以外のＰＯＮ内の返信の受信光ビームによる使用のためにｆＬ２より下の帯域幅を追加するステップとをさらに含む、請求項１３に記載のネットワーク。
【請求項１６】
前記送信モデムが、振幅変調、周波数変調、及び位相変調を含むグループから選択される技術で前記デジタル信号を変調する、請求項１２に記載のネットワーク。
【請求項１７】
受動光ネットワーク（ＰＯＮ）上でデジタル信号のサブオクターブ送信を可能にするための方法であって、
光ファイバ・ケーブルから光ビームを回収するステップであって、前記光ビームが複数の光信号を含み、各々の光信号が変調後の搬送波周波数に相当し、前記変調後の搬送波周波数がデジタル信号で変調されるステップと、
前記光ビームをサブセットに分割するステップと、
前記光ビームの各サブセットを宛先の光受信機へ向かわせるステップと、
前記光ビーム内の各々の光信号を相当する変調後の搬送波周波数に変換するステップと、
前記サブオクターブの外側の二次歪みを前記変調後の搬送波周波数から濾波するステップと、
選択された搬送波周波数に同調させるステップと、
前記同調後の搬送波周波数をそのそれぞれのデジタル信号の受信のために復調するステップとを含む方法。
【請求項１８】
順方向の送信光ビームによる使用のために、２ｆＬ１≧ｆＨ１＞ｆＬ１の関係にある低搬送波周波数（ｆＬ１）と高搬送波周波数（ｆＨ１）によって境界を決められる第１のオクターブを識別するステップと、
返信の受信光ビームによる使用のために、２ｆＬ２≧ｆＨ２＞ｆＬ２の関係にある低搬送波周波数（ｆＬ２）と高搬送波周波数（ｆＨ２）によって境界を決められる第２のオクターブを識別するステップとを含む、請求項１７に記載の方法。
【請求項１９】
前記順方向の送信光ビームと前記返信の受信光ビームが７５０ＭＨｚと４０ＧＨｚとの間の範囲内の搬送波周波数を含む、請求項１８に記載の方法。
【請求項２０】
別のＰＯＮ内の順方向の送信光ビームによる使用のためにｆＬ１より下の帯域幅を追加するステップと、
それ以外のＰＯＮ内の返信の受信光ビームによる使用のためにｆＬ２より下の帯域幅を追加するステップとをさらに含む、請求項１８に記載の方法。
【発明の詳細な説明】
【技術分野】
【０００１】
本発明は概して、光ファイバ上でデータの送信を可能にするシステム及び方法に関する。より詳細には、本発明は、光ファイバ・ネットワーク上でデジタル信号を送信し、その後にサブオクターブ（sub-octave）濾波(filtering)を行って、信号から二次歪みを除去するためのシステム及び方法に関する。本発明は特に、それだけには限らないが、受動光ネットワーク（ＰＯＮ:Passive Optical Network）を使用して、デジタル信号を送信し、その後にサブオクターブ濾波を行うためのシステム及び方法として有用である。
【背景技術】
【０００２】
受動光ネットワーク（ＰＯＮ）は本質的に、１地点（例えばサービス・プロバイダ）から複数の異なる地点（例えば顧客の構内）への信号の送信のために単一の光ファイバ・ケーブルを使用する光ネットワークである。最も見込まれる場合として、送信される信号はデジタル信号であると考えられる。したがって、光ファイバ・ケーブルに加えて、ＰＯＮはデジタル信号で無線周波数（ＲＦ）搬送波を変調する構成要素（すなわちモデム）を光ファイバ・ケーブルの送信末端に必然的に含む。結果として生じたＲＦ信号はその後、光ファイバ・ケーブル上での送信のために光信号へと変換される。光ファイバ・ケーブルの受信末端において処理は反転される。特定すると、構成要素（モデム）が光信号をＲＦ信号に再変換し、その後、このＲＦ信号をその後の使用のために復調する。
【０００３】
ＰＯＮの重要な一面は、波長分割多重（ＷＤＭ:Wavelength-Division Multiplexing）による良く知られている光信号の送信の利益を得られることである。これは本質的に、ＰＯＮが光ファイバ・ケーブルの下流方向のトラフィックで１つの波長（λ１）を使用し、その一方で同時に、上流方向のトラフィックについて別の波長（λ２）を使用することを可能にする。さらに、２つ以上の上流方向トラフィック波長（例えばλ１とλ３）、及び２つ以上の下流方向トラフィック波長（例えばλ２とλ４）を有することが可能である。このＷＤＭの能力はＰＯＮの１地点対多地点特性と連結されて、他のタイプのネットワーク・アーキテクチャを上回る明らかな利益を与える。特定すると、ＰＯＮの構成は１地点対１地点(point to point)アーキテクチャに比べて、必要とされる光ファイバ・ケーブルの量を削減すると考えられる。しかしながら見込まれるマイナス面は、光ファイバ・ケーブルが光信号の中に歪みを導入してこれが信号の明瞭性を減少させると知られていることである。
【０００４】
光信号が光ファイバ・ケーブルを通過するときにその中に導入されると見込まれる全ての歪みのうち、最も顕著な歪みは二次歪みである。しかしながらこれら二次歪みは比較的容易に識別される。例えば、光信号を搬送するＲＦ周波数ｆａとｆｂを考える。光信号が光ファイバ・ケーブルを通過するときに光ファイバ・ケーブルがｆａ＋ｆｂ及びｆａ−ｆｂの周波数で２つのＲＦ歪み信号を光信号の中に導入することが起こり得る。ｆａ≒ｆｂの場合、二次歪みはｆａ＋ｆｂ≒２ｆａ及びｆａ−ｆｂ≒０である。この場合、ｆａ−ｆｂ≒０は取るに足らず、２ｆａはｆａのオクターブを規定する。
【発明の概要】
【発明が解決しようとする課題】
【０００５】
以上を考えると、本発明の目的は、送信の受信末端で、たとえ有っても最小の歪みを伴う明瞭な信号をＰＯＮ上で送信するサブオクターブ・フィルタを備えた受動光ネットワークを提供することである。本発明の別の目的は、ＰＯＮの光ファイバ・ケーブルによって信号の中に導入される歪みを送信される信号から効果的に取り除く受動光ネットワークを提供することである。本発明のさらに別の目的は、送信される光信号から二次歪みを取り除くための使用が容易で簡単に採用できて比較的費用効果のよいサブオクターブ・フィルタを備えた受動光ネットワークを提供することである。
【課題を解決するための手段】
【０００６】
本発明によると、受動光ネットワーク（ＰＯＮ）は光ビームがＰＯＮの光ファイバ・ケーブルを通して送信されるときに導入される二次歪みを光信号から取り除くためのバンドパス・フィルタを組み入れる。本発明によると、光ファイバ・ケーブルからの光信号がＲＦ信号へ変換され、このＲＦ信号がデジタル信号のＲＦ搬送波周波数を含むサブオクターブの帯域幅でフィルタ処理される。その後、このＲＦ信号はその後のデジタル信号の受信のために復調されてもよい。
【０００７】
構造的に、本発明の受動光ネットワーク（ＰＯＮ）は複数のデジタル信号をそれぞれのＲＦ搬送波周波数（ｆ）上に変調するための送信モデムを含む。これは振幅変調、周波数変調、又は位相変調のいずれによって為されてもよい。これら変調後の搬送波の各々を光信号へと変換するためにモデムを備えた光送信機もやはり使用される。その後、この光信号を他の同様に形成された光信号と組み合わせて光ビームを作り出すために波長分割多重（ＷＤＭ）が使用される。重要なことであるが、光ビームの中で各々の光信号は独自の別々の波長（λ）を有すると考えられる。
【０００８】
本発明については、光加入者線端局装置（ＯＬＴ：Optical Line Terminal、例えばサービスプロバイダ）と複数の光ネットワークユニット（ＯＮＵ:Optical Network Units、例えば顧客）との間のＰＯＮ上で光ビームを送信するために光ファイバ・ケーブルが設けられる。詳しく述べると、光ファイバは送信機及びＷＤＭから光ビームを受信するためにＯＬＴに接続された第１の末端を有する。その後、この光ビームは光ファイバを通って第２の末端へと移送される。光ファイバの第２の末端に接続されるスプリッタ（splitter）は光ビームをサブセットに分割する(split)ために使用される。本発明について想定されるように、各々のサブセットはそれぞれのＯＮＵへと送信され、それは送信された光ビーム内の全ての光信号を、減少したパワーであるとはいえ含むと考えられる。
【０００９】
光ビームからサブセットを受信するために複数の光受信機がネットワーク内のそれぞれの顧客（すなわちＯＮＵ）に配置される。その後、各々の光受信機はサブセット内の光信号をそれぞれの変調後の搬送波周波数へと戻すようにモデムでもって機能する。その後、変調後の搬送波周波数のサブオクターブの外側にある二次歪みをサブオクターブ・バンドパス・フィルタが濾波する。このようにして、二次歪みが受信信号から取り除かれる。
【００１０】
受信した信号がいったん再変換されて濾波されると、選択された搬送波周波数に同調させるため、及び選択された搬送波周波数をＯＮＵ内の宛先構内に向けるために同調器が使用される。その後、同調した搬送波周波数を受信モデムが復調してそのそれぞれのデジタル信号を再構築する。次いでこのデジタル信号は意図される目的のために使用されることが可能になる。
【００１１】
動作時に、受動光ネットワーク（ＰＯＮ）上でデジタル信号のサブオクターブ送信を可能にするための本発明の方法は、複数の分離した搬送波周波数（ｆ）の各々についてサブオクターブ帯域幅を確立することに頼る。初期に、本方法は選択された搬送波周波数（ｆ）上にデジタル信号を変調すること、その後、変調後の搬送波周波数を光信号へと変換することを想定する。この変換でもって、光信号とデジタル信号の両方が両方共に同じ波長（λ）を有すると考えられる。相応して、いくつかのそのような光信号が形成されて光ビームへと一緒に組み合わされてもよい。この場合、光ビームは光ファイバ・ケーブルの第１の末端の中に導入され、光ファイバ・ケーブルを通って第１の末端から第２の末端へと送信される。
【００１２】
光ファイバ・ケーブルの第２の末端で光ビームはサブセットに分割され、これらの各々が最初に送信されたビームの光信号の全てを含む。その後、光ビームの各々のサブセットはそれぞれのＯＮＵにある宛先の光受信機へ向けられ、変調後の搬送波周波数に再変換される。この地点で、設立されたサブオクターブの外側にある二次歪みが変調後の搬送波周波数から濾波される。その後、選択された変調後の搬送波周波数に同調させるために同調器が使用されてもよく、そのそれぞれのデジタル信号の受信のために同調後の搬送波周波数を復調するように受信モデムが使用されてもよい。
【００１３】
本発明について想定されるように、サブオクターブを設立するステップは低搬送波周波数（ｆＬ１）と高搬送波周波数（ｆＨ１）によって境界を決められる第１のオクターブを識別するステップを含む。この第１のオクターブは順方向（下流方向）の送信光ビームによって使用される。重要なことは、２ｆＬ１≧ｆＨ１＞ｆＬ１である。低搬送波周波数（ｆＬ２）と高搬送波周波数（ｆＨ２）によって境界を決められる第２のオクターブもやはり識別される。この第２のオクターブは返信（上流方向）の受信光ビームによって使用され、ここで２ｆＬ２≧ｆＨ２＞ｆＬ２である。本発明については、順方向（下流方向）の送信光ビーム及び返信（上流方向）の受信光ビームは７５０ＭＨｚと４０ＧＨｚとの間の搬送波周波数を含む。さらに、本発明の実施例は同じ光ファイバ・ケーブル上で２つのＰＯＮを使用することができると意図される。これらの実施例については、本発明は第２のＰＯＮにおける順方向（下流方向）の送信光ビームによる使用のためにｆＬ１より下の帯域幅（例えばλ３）、及び第２のＰＯＮにおける返信（上流方向）の受信光ビームによる使用のためにｆＬ２より下の帯域幅（例えばλ４）を追加することを想定する。
【００１４】
本発明の新規的な特徴、並びに本発明自体は、その構造と操作の両方について、付随する説明と結び付けた添付の図面から最も良く理解されると考えられ、ここでは類似した参照文字は類似した部品を参照する。
【図面の簡単な説明】
【００１５】
【図１】本発明による受動光ネットワーク（ＰＯＮ）の構成要素の模式的なレイアウト図である。
【図２】本発明の方法の操作のフローチャートである。
【発明を実施するための形態】
【００１６】
最初に図１を参照すると、本発明による受動光ネットワーク（ＰＯＮ）の構成要素が集合的に示され、全体として１０で示される。図示されるように、ＰＯＮ１０は光加入者線端局装置（ＯＬＴ、例えばサービスプロバイダ）１４を複数の光ネットワークユニット（ＯＮＵ、例えば顧客）１６と相互接続する光ファイバ・ケーブル（光ファイバ）１２を含む。図１において、ＯＮＵ１６は例示に過ぎず、サービス対象顧客Ａであるように示される。
【００１７】
図１に示されるように、ＰＯＮ１０上で送信されることになるデジタル信号１８はモデム２０によって変調される。ＰＯＮ１０の目的のために、この変調は振幅変調、周波数変調、位相変調、又はこれら３つのいずれの組み合わせであってもよい。いずれの事象でも、デジタル信号１８は関係技術でよく知られている方法でＲＦ搬送波周波数（ｆ１）上に変調される。図１では、変調後の搬送波周波数２２（すなわちｆ１）は低搬送波周波数ｆＬ１と高搬送波周波数ｆＨ１によって境界を決められるサブオクターブ内に設立されることが示される。いったんサブオクターブが設立されると現在変調された搬送波周波数２２は送信機２４に渡され、ここで光信号２６（すなわち波長λ１を備えた光信号）へと変換される。次に、この光信号２６（λ１）は波長分割多重２８（ＷＤＭ）へ送られ、ここで下流の光ファイバ・ケーブル１２上での送信のために他の光信号（例えばλ３）と共に光ビーム３０の中に組み合わされる。図１に示されるように、光ファイバ・ケーブル１２はＷＤＭ２８とスプリッタ３２との間に接続される。
【００１８】
光ビーム３０上の光信号２６が光ファイバ・ケーブル１２上に送信された後、光ビーム３０はスプリッタ３２で複数のサブセットの光ビーム３０’へと分割される。重要なことは、各サブセットの光ビーム３０’がＷＤＭ２８で一緒に組み合わされた光信号の全て（例えばλ１とλ２）を含むことである。さらに各サブセットの光ビーム３０’は次いでそれぞれのＯＮＵ１６へと送られる。動作において、ＯＮＵ１６（すなわち顧客Ａ）のＷＤＭ３４が、ＰＯＮ１０内の全ての他のＯＮＵ１６（例えば顧客Ｘ）が行うように同じサブセットの光ビーム３０’を受信する。顧客Ａの特定の実例については、ＯＮＵ１６によって受信されたサブセットの光ビーム３０’内にある光信号（λ１）は受信機３６へと送られ、ここで変調後の搬送波周波数２２’（すなわちｆ１）へと再変換される。この変調後の搬送波周波数２２’（ｆ１）はその後、バンドパス・フィルタ３８によって濾波され、モデム４０によって復調される。この結果、濾波された搬送波周波数２２’によって搬送されているデジタル信号１８は、二次歪みによって引き起こされる全ての障害がデジタル信号１８から効果的に取り除かれてＯＮＵ１６で受信される。
【００１９】
上記の開示はＯＬＴ１４からＯＮＵ１６への下流方向の送信に焦点を絞ってきたが、ＯＮＵ１６からＯＬＴ１４への上流方向の送信も同様であり、本質的に逆方向で動作する。特定すると、上流方向の送信については、デジタル信号４２は上記でｆ１について開示されたのと同様の方法でモデム４０においてＲＦ搬送波周波数（ｆ２）上に変調される。この例では、変調後の搬送波周波数４４（すなわちｆ２）は低搬送波周波数ｆＬ２と高搬送波周波数ｆＨ２によって境界を決められるサブオクターブ内に設立される。その後、変調後の搬送波周波数４４は送信機４６に送られ、光信号４８（すなわち波長λ２を備えた光信号）へと変換される。他方で、この光信号４８（λ２）は波長分割多重３４（ＷＤＭ）へ送られ、ここで光ファイバ・ケーブル１２上での上流方向の送信のために他の光信号（例えばλ４）と共に光ビーム５０の中に組み合わされる。その後、光ビーム５０はＯＬＴ１４によって受信され、波長分割多重２８を通じて処理され、受信機５２へと送られ、ここで光ビーム５０内の光信号４８が変調後の搬送波周波数４４’（すなわちｆ２）へと再変換される。その後、この変調後の搬送波周波数４４（ｆ２）はバンドパス・フィルタ５４によって濾波され、その後にモデム２０によって復調される。この結果、デジタル信号４２は、二次歪みによって引き起こされる全ての障害がデジタル信号４２から効果的に取り除かれてＯＬＴ１４で受信される。
【００２０】
図２は全体として５６で示されるステップ毎の方法を提示しており、ＰＯＮ１０の動作の初期の考慮対象がサブオクターブの設立（ブロック５８参照）であることを示す。特定すると、サブオクターブは各々の送信（下流方向／上流方向）について設立される。ＰＯＮ１０上でデジタル信号１８／４２を送信するために、ブロック６０はデジタル信号１８／４２が搬送波周波数２２（ｆ１）／４４（ｆ２）上に変調されることを示す。次いでブロック６２は変調後の搬送波周波数２２（ｆ１）／４４（ｆ２）が光信号２６（λ１）／４８（λ２）に変換されることを示す。その後、光信号２６（λ１）／４８（λ２）はＷＤＭ２８／３４で他の同様の信号と組み合わされ、光ファイバ・ケーブル１２上で光ビーム３０／５０として（下流方向／上流方向へ）送信される（ブロック６４参照）。
【００２１】
光ビーム３０が特定的に関連する限り、ブロック６６は光ビーム３０がサブセットの光ビーム３０’へと分割されることを示す。その後、各サブセットの光ビーム３０’は特定のＯＮＵ１６へ向けられ（ブロック６８参照）、ここで光信号２６（λ１）／４８（λ２）から変調後のＲＦ搬送波周波数２２（ｆ１）／４４（ｆ２）へと変換して戻される（ブロック７０参照）。その後、この変調後のＲＦ搬送波周波数２２（ｆ１）／４４（ｆ２）が濾波される（ブロック７２参照）。さらに特定すると、上記で示されたように、光ビーム３０／５０が光ファイバ・ケーブル１２を通して送信された後に、下流方向の光ビーム３０及び上流方向の光ビーム５０から二次歪みをそれぞれ取り除くために、各々のバンドパス・フィルタ３８と５４が使用され、独自のサブオクターブが設立される。
【００２２】
光信号２６（λ１）／４８（λ２）がそれぞれの変調後のＲＦ搬送波周波数２２’（ｆ１）／４４’（ｆ２）に再変換され、且つ二次歪みが変調後のＲＦ搬送波周波数２２’（ｆ１）／４４’（ｆ２）から取り除かれた後、ブロック７４はユーザが関心対象の搬送波周波数（例えば変調後の搬送波周波数２２（ｆ１））に同調させることができることを示す。その後、変調後の搬送波周波数２２（ｆ１）はモデム２０／４０によって復調され（ブロック７６参照）、デジタル信号１８／４２は送信過程における二次歪みによって引き起こされるいかなる感知可能な障害も伴わずに使用のために受信される（ブロック７８参照）。
【００２３】
本明細書に示されて詳しく開示されたような、サブオクターブ送信を伴う特定の受動光ネットワークは前述した目的を完遂して利益を提供することが十分にできるが、これが本発明の現時点で好ましい実施例の例証に過ぎないこと、及び添付の特許請求の範囲に述べられる以外に、本明細書に示された構成又は設計の細部への限定が意図されていないことは理解されるべきである。
【図１】
2014513874.tif 000003
【図２】
2014513874.tif 000004
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
受動光ネットワーク（ＰＯＮ）上でデジタル信号のサブオクターブ送信を可能にするための方法であって、
複数の分離した搬送波周波数（ｆ）を有するサブオクターブ帯域幅を設立するステップと、
選択された搬送波周波数上にデジタル信号を変調するステップと、
前記変調後の搬送波周波数を光ビームに変換するステップであって、前記光ビームと前記デジタル信号が波長（λ）を有するステップと、
光ファイバ・ケーブルの第１の末端から第２の末端へと前記光ファイバ・ケーブルを通る送信が可能な前記光ファイバ・ケーブルの前記第１の末端に前記光ビームを導入するステップと、
前記光ファイバ・ケーブルの前記第２の末端から前記光ビームを回収するステップと、
前記光ビームをサブセットへと分割するステップと、
前記光ビームの各サブセットを宛先の光受信機へ向かわせるステップと、
前記光ビームを前記変調後の搬送波周波数に再変換するステップと、
前記サブオクターブの外側の二次歪みを前記変調後の搬送波周波数から濾波するステップと、
選択された変調後の搬送波周波数に同調させるステップと、
前記同調後の搬送波周波数をそのそれぞれのデジタル信号の受信のために復調するステップとを含む方法。
【請求項２】
複数のデジタル信号がそれぞれの搬送波周波数上に各々変調され、その後、複数の光信号を作り出すように変換され、前記複数の光信号を組み合わせて光ビームを作り出すステップをさらに含む、請求項１に記載の方法。
【請求項３】
前記設立するステップが、
順方向の送信光ビームによる使用のために、２ｆＬ１≧ｆＨ１＞ｆＬ１の関係にある低搬送波周波数（ｆＬ１）と高搬送波周波数（ｆＨ１）によって境界を決められる第１のオクターブを識別するステップと、
返信の受信光ビームによる使用のために、２ｆＬ２≧ｆＨ２＞ｆＬ２の関係にある低搬送波周波数（ｆＬ２）と高搬送波周波数（ｆＨ２）によって境界を決められる第２のオクターブを識別するステップとを含む、請求項２に記載の方法。
【国際調査報告】
2014513874.tif 000005